(57)【要約】      （修正有）【課題】瞬間的に変化したトレンドデータの値を、確実且つ詳細に保存するトレンドデータ管理装置およびトレンドデータ管理方法を提供する。【解決手段】トレンドデータ管理装置で、トレンドデータ取得部１１は、監視対象の機器のトレンドデータを第１時間周期で取得する。変化率判定部１２は、最新のトレンドデータと１つ前のトレンドデータとの間の変化率が、閾値を超えるか否かを判定する。保存制御部１３は、第１時間周期よりも長い時間周期の第２時間周期で、監視周期中に閾値を超えた変化率が検出されたか否かを判定し、検出されなかったときは第２時間周期でトレンドデータを取得し、検出されたときには第１時間周期のトレンドデータを取得する。トレンドデータ保存部１４は、取得されたトレンドデータを保存する。【選択図】図１
2012058812.tif 000002
【特許請求の範囲】
【請求項１】
監視対象の機器の動作に関する値を、予め設定された第１時間周期でトレンドデータとして取得するトレンドデータ取得部と、
前記トレンドデータ取得部で取得された最新のトレンドデータと、１つ前のトレンドデータとの間の変化率を算出し、この変化率が予め設定された閾値を超えるか否かを判定する第１判定を順次行う変化率判定部と、
予め設定された、前記第１時間周期よりも長い時間周期の第２時間周期で、前記変化率判定部における判定結果を監視し、監視周期中に閾値を超えた変化率が検出されたか否かを判定する第２判定を行い、
監視周期中に閾値を超えた変化率が検出されなかったときは、当該監視周期中は前記トレンドデータ取得部で取得されたトレンドデータの中から前記第２時間周期でトレンドデータを取得し、
監視周期中に閾値を超えた変化率が検出されたときには、当該監視周期中は前記トレンドデータ取得部で取得された前記第１時間周期のトレンドデータを取得する保存制御部と、
前記保存制御部で取得されたトレンドデータを保存するトレンドデータ保存部と
を備えることを特徴とするトレンドデータ管理装置。
【請求項２】
外部から、所定期間のトレンドグラフの生成が指示されると、前記トレンドデータ保存部に保存されたトレンドデータを用いて、前記第１時間周期で取得されたトレンドデータが存在する時刻に該当する位置にマーカが付された、前記所定期間の前記第２時間周期で取得されたトレンドデータで構成されたトレンドグラフを生成し、
さらに前記マーカを選択する操作が行われると、当該第１時間周期のトレンドデータで構成されたトレンドグラフを生成するトレンドグラフ生成部と、
前記トレンドグラフ生成部で生成されたトレンドグラフを表示するトレンドグラフ表示部と
をさらに備えることを特徴とする請求項１に記載のトレンドデータ管理装置。
【請求項３】
トレンドデータ管理装置が、
監視対象の機器の動作に関する値を、予め設定された第１時間周期でトレンドデータとして取得するトレンドデータ取得ステップと、
前記トレンドデータ取得ステップにより取得された最新のトレンドデータと、１つ前のトレンドデータとの間の変化率を算出し、この変化率が予め設定された閾値を超えるか否かを判定する第１判定を順次行う変化率判定ステップと、
予め設定された、前記第１時間周期よりも長い時間周期の第２時間周期で、前記変化率判定ステップにおける判定結果を監視し、監視周期中に閾値を超えた変化率が検出されたか否かを判定する第２判定を行い、
監視周期中に閾値を超えた変化率が検出されなかったときは、当該監視周期中は前記トレンドデータ取得ステップで取得されたトレンドデータの中から前記第２時間周期でトレンドデータを取得し、
監視周期中に閾値を超えた変化率が検出されたときには、当該監視周期中は前記トレンドデータ取得ステップで取得された前記第１時間周期のトレンドデータを取得する保存制御ステップと、
前記保存制御ステップで取得されたトレンドデータを保存するトレンドデータ保存ステップと
を有することを特徴とするトレンドデータ管理方法。
【請求項４】
外部から、所定期間のトレンドグラフの生成が指示されると、前記トレンドデータ保存ステップで保存されたトレンドデータを用いて、前記第１時間周期で取得されたトレンドデータが存在する時刻に該当する位置にマーカが付された、前記所定期間の前記第２時間周期で取得されたトレンドデータで構成されたトレンドグラフを生成し、
さらに前記マーカを選択する操作が行われると、当該第１時間周期のトレンドデータで構成されたトレンドグラフを生成するトレンドグラフ生成ステップと、
前記トレンドグラフ生成ステップで生成されたトレンドグラフを表示するトレンドグラフ表示ステップと
をさらに有することを特徴とする請求項３に記載のトレンドデータ管理方法。
【発明の詳細な説明】
【技術分野】
【０００１】
本発明の実施形態は、トレンドデータ管理装置およびトレンドデータ管理方法に関する。
【背景技術】
【０００２】
従来、コントローラ等で取得される各種トレンドデータは、機器の保守管理等のため数カ月〜数年といった長期間単位で保存されることが多い。
【０００３】
通常、このようなトレンドデータは、短時間周期、例えば０．１分間隔でコントローラから取得されるが、この短時間周期のトレンドデータをすべて長期間保存しようとすると膨大な記憶容量が必要となってしまうため、これよりも長い時間間隔、例えば１分間隔のトレンドデータのみを保存し、それ以外のデータはリアルタイム監視のための数値表示に用いた後は消去されることが多い。
【先行技術文献】
【特許文献】
【０００４】
【特許文献１】特開２００４−３０５９９号公報
【発明の概要】
【発明が解決しようとする課題】
【０００５】
ところで、トレンドデータを取得する対象の機器によっては、瞬間的にデータ値が変化する場合がある。例えば電源の異常により一時的に高負荷がかかり、ノイズが発生するような場合である。
【０００６】
このような瞬間的なデータ値の変化は、この変化時のデータが、予めシステム内に設定された異常判断のための閾値を超えていればアラーム等により異常が発生したことが検知されるが、この閾値まで到達しない範囲で、且つトレンドデータが保存される１分間隔の時間範囲内で発生した場合、保存されたトレンドデータからはこのデータ値の変化を確認することができなかった。
【０００７】
例えば、保存されたトレンドデータが、図６に示すようにトレンドグラフとして表示されたときに、「４分」と「５分」との間に瞬間的に計測値が変化していたとしても、この１分間隔のトレンドデータによるグラフでは認識することはできなかった。
【０００８】
そこで本発明は、瞬間的に変化したトレンドデータの値を、確実且つ詳細に保存するトレンドデータ管理装置およびトレンドデータ管理方法を提供することを目的とする。
【課題を解決するための手段】
【０００９】
上記目的を達成するための実施形態によれば、トレンドデータ管理装置は、トレンドデータ取得部と、変化率判定部と、保存制御部と、トレンドデータ保存部とを有する。トレンドデータ取得部は、監視対象の機器のトレンドデータを第１時間周期で取得する。変化率判定部は、最新のトレンドデータと１つ前のトレンドデータとの間の変化率が、閾値を超えるか否かを判定する。保存制御部は、第１時間周期よりも長い時間周期の第２時間周期で、監視周期中に閾値を超えた変化率が検出されたか否かを判定し、検出されなかったときは第２時間周期でトレンドデータを取得し、検出されたときには第１時間周期のトレンドデータを取得する。トレンドデータ保存部は、取得されたトレンドデータを保存する。
【図面の簡単な説明】
【００１０】
【図１】一実施形態によるトレンドデータ管理装置の構成を示すブロック図である。
【図２】一実施形態によるトレンドデータ管理装置のトレンドデータ保存処理の動作を示すフローチャートである。
【図３】一実施形態によるトレンドデータ管理装置のトレンドグラフの表示処理の動作を示すフローチャートである。
【図４】一実施形態によるトレンドデータ管理装置のトレンドグラフ表示部に表示された第２時間周期のトレンドグラフの一例を示す画面表示図である。
【図５】一実施形態によるトレンドデータ管理装置のトレンドグラフ表示部に表示された第１時間周期のトレンドグラフの一例を示す画面表示図である。
【図６】従来のトレンドグラフの一例を示す画面表示図である。
【発明を実施するための形態】
【００１１】
〈一実施形態によるトレンドデータ管理装置の構成〉
本発明の一実施形態によるトレンドデータ管理装置１の構成を、図１を参照して説明する。
【００１２】
本実施形態によるトレンドデータ管理装置１は、トレンドデータ取得部１１と、変化率判定部１２と、保存制御部１３と、トレンドデータ保存部１４と、トレンドグラフ生成部１５と、トレンドグラフ表示部１６とを有する。
【００１３】
トレンドデータ取得部１１は、監視対象の機器の動作に関する値を計測するコントローラから、予め設定された短時間周期、例えば０．１分周期で計測された計測値をトレンドデータとして取得する。このトレンドデータを取得する短時間周期を、第１時間周期とする。
【００１４】
変化率判定部１２は、トレンドデータ取得部１１で取得された、最新のトレンドデータと、１つ前のトレンドデータとの間の変化率を算出し、この変化率が予め設定された閾値を超えるか否かを判定する第１判定を順次行う。
【００１５】
保存制御部１３は、予め設定された、上述した第１時間周期よりも長い時間周期、例えば１分周期で変化率判定部１２における判定結果を監視し、監視周期中に閾値を超えた変化率が検出されたか否かを判定する第２判定を行う。この第２判定を行う時間周期を、第２時間周期とする。
【００１６】
ここで、監視周期中に閾値を超えた変化率が検出されなかったときは、当該監視周期中はトレンドデータ取得部１１から第２時間周期でトレンドデータを取得し、トレンドデータ保存部１４に送出する。
【００１７】
また、監視周期中に閾値を超えた変化率が検出されたときには、当該監視周期中はトレンドデータ取得部１１から第１時間周期でトレンドデータを取得し、トレンドデータ保存部１４に送出する。
【００１８】
トレンドデータ保存部１４は、保存制御部１３から送出されたトレンドデータを保存する。
【００１９】
トレンドグラフ生成部１５は、ユーザの操作により指示された期間のトレンドデータで構成されたトレンドグラフを生成する。
【００２０】
トレンドグラフ表示部１６はモニタであり、トレンドグラフ生成部１５で生成されたトレンドグラフを表示する。
【００２１】
〈一実施形態によるトレンドデータ管理装置の動作〉
次に、本実施形態によるトレンドデータ管理装置１の動作として、トレンドデータの保存処理、およびトレンドグラフの表示処理について説明する。
【００２２】
トレンドデータの保存処理について、図２の示すフローチャートを参照して説明する。
【００２３】
まず、トレンドデータ取得部１１において、監視対象の機器の動作に関する値を計測するコントローラから、予め設定された第１時間周期で計測されたトレンドデータが取得される（Ｓ１）。本実施形態において、第１時間周期は０．１分周期とする。
【００２４】
次に変化率判定部１２において、トレンドデータ取得部１１で取得された最新のトレンドデータと、１つ前のトレンドデータとの間の変化率が算出され、この変化率が予め設定された閾値を超えるか否かを判定する第１判定が順次行われる（Ｓ２）。
【００２５】
この予め変化率判定部１２に設定される閾値は、管理対象の機器にごとに設定されるものであり、異常値としてアラームが発せられたり機器が停止されたりするレベルには達しないが、正常時にはない変化を検知することができる程度の値で設定される。
【００２６】
次に保存制御部１３において、予め設定された、上述した第１時間周期よりも長い第２時間周期で変化率判定部１２における判定結果が監視され、監視周期中に、第１判定により閾値を超えたと判定された変化率が検出されたか否かを判定する第２判定が行われる（Ｓ３）。本実施形態において、第２時間周期は１分周期とする。
【００２７】
ここで、正常に稼働しており監視周期中に閾値を超えた変化率が検出されないとき（Ｓ３の「NO」）は、当該監視周期中はトレンドデータ取得部１１から第２時間周期でトレンドデータが継続して取得され、トレンドデータ保存部１４に送出される（Ｓ４）。
【００２８】
また、監視周期中に何らかのイベントがあり閾値を超えた変化率が検出されたとき（Ｓ３の「YES」）には、当該監視周期中（１分間）はトレンドデータ取得部１１から第１時間周期（０．１分間隔）でトレンドデータが取得され、トレンドデータ保存部１４に送出される（Ｓ５）。
【００２９】
ステップＳ５およびステップＳ７において保存制御部１３から送出されたトレンドデータは、トレンドデータ保存部１４に保存される（Ｓ６）。
【００３０】
この際、第２時間周期で取得されたトレンドデータと、第１時間周期で取得されたトレンドデータとは、時刻情報で対応付けられて別ファイルとして保存される。
【００３１】
次に、トレンドグラフの表示処理について図３のフローチャートを参照して説明する。
【００３２】
上述したようにトレンドデータが順次保存された状態で、ユーザの操作により所定期間のトレンドデータの表示が指示されると（Ｓ１１）、トレンドグラフ生成部１５において、トレンドデータ保存部１４に保存された当該期間の第２時間周期のトレンドデータが用いられたトレンドグラフの表示情報が生成される（Ｓ１２）。
【００３３】
この第２時間周期のトレンドグラフの表示情報には、第１時間周期で取得されたトレンドデータが存在する時刻に該当する位置に矢印を表示させるためのマーカが付される。
【００３４】
トレンドグラフ生成部１５で生成された第２時間周期のトレンドグラフの表示情報は、トレンドグラフ表示部１６に表示される（Ｓ１３）。
【００３５】
トレンドグラフ表示部１６に表示された第２時間周期のトレンドグラフの一例を、図４に示す。
【００３６】
図４では、第２時間周期（１分周期）のトレンドデータが１０分間分表示されており、この中の４分から５分の間に矢印Ｘが表示されており、この間に瞬間的に計測値の変化が発生し第１時間周期（０．１分周期）のトレンドデータがトレンドデータ保存部１４に保存されていることが示されている。
【００３７】
このトレンドグラフが表示されたことにより、ユーザによりこの矢印を選択する操作が行われると（Ｓ１４の「YES」）、トレンドグラフ生成部１５において、トレンドデータ保存部１４に保存された当該矢印で示された４分から５分の間の第１時間周期のトレンドデータが用いられたトレンドグラフの表示情報が生成される（Ｓ１５）。
【００３８】
トレンドグラフ生成部１５で生成された第１時間周期のトレンドグラフの表示情報は、トレンドグラフ表示部１６に表示される（Ｓ１６）。
【００３９】
トレンドグラフ表示部１６に表示された第１時間周期のトレンドグラフの一例を、図５に示す。
【００４０】
図５では、４分から５分の間の第１時間周期（０．１分周期）のトレンドデータが表示されている。この図５のトレンドグラフが表示されたことにより、監視員は、４．４分〜４．８分にかけて正常時にはない変化が瞬間的に発生していたことを認識することができる。
【００４１】
以上の本実施形態によれば、正常な計測値が取得されている間はある程度長い時間周期の計測値を保存し、瞬間的な計測値の変化があったときにのみ短時間周期の計測値を保存しておくことで、記憶媒体の容量を膨大に消費することなく、瞬間的な変化があったときの詳細な計測値を保存しておくことができる。
【００４２】
これにより、例えば機器に異常が発生し、この異常発生時に電源で何か変化はなかったかどうかを確かめたいときに、後からこの異常発生時付近の電源の電圧計測器の長い時間周期のトレンドグラフを表示させることで、矢印等のマーカ表示があれば当該時刻に瞬間的な電圧変化等が起こっていたことが認識でき、さらにこの間の短時間周期のトレンドデータを表示させることで、詳細な計測値の変化を確認することができる。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
１…トレンドデータ管理装置
１１…トレンドデータ取得部
１２…変化率判定部
１３…保存制御部
１４…トレンドデータ保存部
１５…トレンドグラフ生成部
１６…トレンドグラフ表示部
【図１】
2012058812.tif 000003
【図２】
2012058812.tif 000004
【図３】
2012058812.tif 000005
【図４】
2012058812.tif 000006
【図５】
2012058812.tif 000007
【図６】
2012058812.tif 000008